(57)【特許請求の範囲】
【請求項１】
移動通信ネットワークを介して、マルチキャスト情報を入手するマルチキャストサービスにユーザが加入した移動端末装置での、マルチキャストサービスの管理方法において、
移動端末装置（ＵＥ１；ＵＥ２）に、各々入力装置を装着し、該入力装置の操作により、マルチキャストサービス（Ａ；Ｂ；Ｃ）がアクティブであるか、又は、デアクティブであるかを示す非活動／活動情報を形成し、当該非活動／活動情報を移動通信ネットワーク（ＲＮＣ）に伝送し、前記移動通信ネットワーク（ＲＮＣ）により、前記マルチキャストサービス（Ａ；Ｂ；Ｃ）の情報を、活動情報がある前記移動端末装置（ＵＥ１；ＵＥ２）にだけ伝送することを特徴とする方法。
【請求項２】
マルチキャストサービス（Ａ；Ｂ；Ｃ）を多数の部分サービスに分割し、入力装置に各個別部分サービスの非活動化部を装着する請求項１記載の方法。
【請求項３】
活動情報を移動端末装置（ＵＥ１；ＵＥ２）及び移動通信ネットワーク（ＲＮＣ）にテーブルの形式で記憶し、該テーブルに、各部分サービス用に、当該部分サービスがアクティブであるか、又は、デアクティブであるかのエントリを含ませる請求項２記載の方法。
【発明の詳細な説明】
【技術分野】
【０００１】
本発明は、移動端末装置で、当該モービル端末装置のユーザが、移動通信ネットワークを介してマルチキャスト情報を入手するマルチキャストサービスを利用する、マルチキャストサービスの管理方法に関する。
【０００２】
マルチキャストサービスでは、同じマルチキャスト情報を伝送する種々の加入者に、これらの加入者が統合されているマルチキャストグループが対応付けられている。これらのマルチキャストグループは、マルチキャストアドレスによって識別される。それに続いて、伝送すべき情報データは、１回だけ、このマルチキャストアドレスに送信される。マルチキャスト情報の送信者からマルチキャスト情報の受信者への共通の接続経路を介して、理想的な場合には、１回だけ送信される。送信者にとって、何処に、どの程度たくさんの受信者が、マルチキャストアドレスの背後に隠れているか、知る必要はない。
【０００３】
公知のマルチキャストサービスでは、当該マルチキャストグループに属している所定の移動端末装置が、ユーザの要求に応じてマルチキャスト情報を受信する必要があるかどうかとは無関係にマルチキャスト情報が、全移動通信セルに送信されてしまうのは欠点である。その結果、マルチキャスト情報を伝送する際、ユーザの要求により、マルチキャスト情報を受信する必要がない移動端末装置に配属されている無線資源が輻輳していることがよくある。
【０００４】
このような従来技術の欠点に基づいて、本発明の課題は、利用される無線資源を経済的に利用する、マルチキャストサービスの管理方法を提供することにある。
【０００５】
この課題は、冒頭に記載した方法において、移動端末装置に、各々入力装置を装着し、該入力装置の操作により、マルチキャストサービスがアクティブであるか、又は、デアクティブであるかを示す活動情報を形成し、当該活動情報を移動通信ネットワークに伝送し、移動通信ネットワークにより、マルチキャストサービスの情報を、活動情報がある移動端末装置にだけ伝送することにより解決される。
【０００６】
本発明によると、マルチキャストサービスが時間毎にデアクティブにされる情報を形成することによって、情報が伝送される移動通信ネットワークが、無線資源の輻輳に関して改善されるように判定することができるという前提条件が形成される。マルチキャストサービスがちょうどアクティブである移動無線装置について、何時でも通知される。
【０００７】
本発明によると、移動通信ネットワークにより、マルチキャストサービスの情報を、活動情報がある移動端末装置にだけ伝送するようにして、効率的に無線資源が節約される。
【０００８】
マルチキャストサービスは、多数の部分サービスに分割することができ、その際、入力装置は、各個別部分サービスをデアクティブにすることができる。入力装置を、個別部分サービス又は部分サービス全体の再活動化のために使ってもよいことは当然のことである。
【０００９】
活動情報を、移動端末装置及び移動通信ネットワーク内に、各部分サービス毎に、部分サービスがアクティブであるか又はデアクティブであるかどうかのエントリを含むテーブルの形式で記憶すると、特に有利である。
【００１０】
このテーブルは、移動通信ネットワークの側に定常的にアクチュエートされた形式で存在しているようにするとよく、その際、マルチキャストサービスに加入している端末装置が、移動通信ネットワークへの相応の情報信号伝送によって、シグナリングコネクションフレーム内の当該端末装置の各テーブルをアクチュエートする。
【００１１】
本発明について、以下、図示の実施例を用いて詳細に説明する。唯一の図は、移動通信ネットワークのノード、基地局と、対応付けられた移動端末とのシグナリングコネクションを示すブロック図である。
【００１２】
２つの移動通信局Ｅ１，ＵＥ２が、固定ネットワークコネクションを介して、移動通信ネットワークＲＮＣのノードと接続する基地局ＢＳによって形成された移動通信セルＺ内にあるものとする。移動端末装置ＵＥ１，ＵＥ２も、移動通信ネットワークＲＮＣのノードも、ＵＭＴＳプロトコルアーキテクチュアのプロトコルに従って作動する。このアーキテクチュア内で、殊に所謂ＲＲＣ状態が定義され、つまり、どのシグナリング段階で、移動端末装置が移動通信ネットワークＲＮＣのノードとつながれているかについての記述に該当する。
【００１３】
両移動端末装置ＵＥ１及びＵＥ２は、開始時に「アイドルモード」にあり、この「アイドルモード」では、移動端末装置ＵＥ１，ＵＥ２は、「ブロードキャスト」情報を、移動通信ネットワークＲＮＣのノードから受信し、隣接チャネル（ＰＩＣＨ，ＰＣＨ）を受信する。移動通信ネットワークＲＮＣのノードは、移動端末装置ＵＥ１，ＵＥ２自身についての認識を持っておらず、この移動端末装置ＵＥ１，ＵＥ２が、ノードによって制御されるセル内に位置しているかどうかについての認識も持っていない。
【００１４】
ＵＥ１及びＵＥ２のユーザは、両方とも、マルチキャストサービスＡ，Ｂ及びＣを利用し、対応付けられたマルチキャストグループＭＡ，ＭＢ，ＭＣに属している。
【００１５】
更に、例えば、コールを受けたので、移動端末装置ＵＥ１がＲＲＣ状態「アイドルモード」からＲＲＣ状態"ＣＥＬＬ＿ＤＣＨ"に切り換えられるとする。このために、移動端末装置ＵＥ１は、コールが来たことを通知される。移動端末装置ＵＥ１は、それに続いて、移動通信ネットワークＲＮＣのノードとのシグナリングコネクションを確立し、このシグナリングコネクションで、移動端末装置ＵＥ１は、情報「ＲＲＣ  コネクション・リクエスト」を移動通信ネットワークＲＮＣのノードに送信する。それに続いて、移動通信ネットワークＲＮＣのノードは、情報「ＲＲＣコネクション・セット・アップ」を移動端末装置ＵＥ１に返送する。移動端末装置ＵＥ１は、そのプロトコル層を構成し、「ＲＲＣコネクション・セット・アップ・コンプリート」情報を移動通信ネットワークＲＮＣのノードに返送して、シグナリングコネクションの構築を確認することができる。
【００１６】
例えば、移動通信ネットワークＲＮＣのノードでの「ＲＲＣコネクション・セット・アップ・コンプリート」情報で、移動通信ネットワークＲＮＣのノードにテーブルを１つだけ送信することができ、このテーブルが、そのノードに記憶される。このテーブルには、各マルチキャストサービスＡ，Ｂ，Ｃに、各々１つの、各マルチキャストサービスがアクティブにされているか、又は、デアクティブにされているかどうかを示す情報が配属されている。デアクティブの場合には、マルチキャスト情報は、当該移動端末装置ＵＥ１，ＵＥ２に送信されない。
【００１７】
このテーブルへのエントリは、移動端末装置ＵＥ１，ＵＥ２の入力装置としてのキーボードを介して行うことができる。マルチキャスト情報の伝送がマルチキャストグループＭＡ用である場合、当該マルチキャストグループの移動端末装置が位置している移動通信ネットワークＲＮＣのノードを見つける必要がある。マルチキャストサービスＡ，Ｂ及びＣの利用料金も算出されるので、移動通信ネットワークＲＮＣのノードは、更に、どのユーザが各マルチキャストサービスＡ，Ｂ及びＣをアクティブにして、受信したいのかについての情報を有する必要がある。
【００１８】
そのために、移動端末装置が制御する移動端末装置ＵＥ１，ＵＥ２用の移動通信ネットワークＲＮＣのノードは、マルチキャストグループＭＡが、当該移動端末装置の所属のテーブル内でアクティブ状態であるとしてマーキングされているかどうか検査する。
【００１９】
更に、移動通信ネットワークＲＮＣのノードに、移動端末装置ＵＥ２は、マルチキャストグループＭＡ用の情報をマルチブランチで伝送していることが知らされる。移動端末装置ＵＥ２は、当該移動端末装置のテーブルで、そのユーザがマルチキャストグループＭＡをアクティブにするかどうか検査する。この実施例で、ユーザがマルチキャストグループＭＡをアクティブにする必要がある場合、移動端末装置ＵＥ２は、基地局ＢＳを介して移動通信ネットワークＲＮＣのノードへのシグナリングコネクションを構築して、同様に、「ＲＲＣコネクション・セット・アップ・コンプリート」情報で、実際のテーブルを移動通信ネットワークＲＮＣのノードに伝送する。
【００２０】
移動通信ネットワークＲＮＣのノードは、両移動端末装置ＵＥ１，ＵＥ２が、マルチキャストグループＭＡ用の情報データを受信して、相応に利用できる無線資源を配分するということについて通知される。マルチキャストサービスの１つ又は複数を非作動化する、マルチキャストグループＭＡの別の移動端末装置によって、情報伝送が中断される。
【００２１】
移動通信ネットワークＲＮＣのノードでのテーブルのアクチュエートは、高い信頼度でアクチュエートされるように行うとよい点は強調すべきである。このために、移動端末装置ＵＥ１，ＵＥ２と移動通信ネットワークＲＮＣとの間で規則的に生起する各シグナリングコネクションを利用するとよい。移動端末装置ＵＥ１，ＵＥ２が、属しているマルチキャストグループＡ用に特定されているマルチキャスト情報があるという知らせを受け取ることができる場合に限って、マルチキャストサービスＡ，Ｂ，Ｃの活動／非活動についてのテーブルを伝送することができる。
【図面の簡単な説明】
【００２２】
【図１】移動通信ネットワークのノード、基地局と、対応付けられた移動端末とのシグナリングコネクションを示すブロック図
【図１】
0004469602.tif 000002